(57)【特許請求の範囲】
【請求項１】
先端部および後端部にそれぞれ開口を有する中空のケース本体と、このケース本体の内部にて棒状の充填部材を保持し該ケース本体の軸線に沿って前記充填部材と一体的に移動可能なスライダと、前記ケース本体の周りで回転自在に取り付けられその回転方向に応じて前記スライダをケース本体の軸線に沿って進退移動させるベース部材とからなる繰り出し容器であって、
前記ベース部材は、その後端部に開口を有し、この開口に、前記スライダを前記ケース本体の先端部側に押し上げて位置決めする上げ底ストッパを備え、
この上げ底ストッパは、ベース部材の後端部の開口に合さる底部と、この底部から起立して前記スライダと接触する押し上げ部分とが形成され、
この押し上げ部分は、その側面に、前記ベース部材の後端部の開口に嵌合する嵌合爪を備えると共に、前記充填部材がケース本体の内部で凝固する際の収縮代を補完する押し上げ代を有することを特徴とする棒状充填部材の繰り出し容器。
【発明の詳細な説明】
【０００１】
【発明の属する技術分野】
本発明は、口紅やリップクリーム、スティックのり等の棒状の充填部材を使用状況に応じて容器から適量露出させることができる繰り出し容器に関するものである。
【０００２】
【従来の技術】
口紅等の充填部材の収納に使用される繰り出し容器は、普通、先端部および後端部にそれぞれ開口を有する中空のケース本体と、このケース本体の内部で充填部材を保持し該ケース本体の軸線に沿って充填部材と一体的に移動可能なスライダと、ケース本体の周りで回転自在に取り付けられその回転方向に応じてスライダをケース本体の軸線に沿って進退移動させるベース部材とで構成されている。
【０００３】
しかしながら、比較的温度の高い流動体をケース本体に流し込み、それを冷却、凝固させることによって所望の形状に成形、充填する繰り出し容器には、オジーブと呼ばれる充填金型をケース本体の先端部開口に装着し容器の後端部開口より充填するタイプと、ケース本体の先端部開口より流動体を流し込むタイプの２種類に分類されるが、これらの充填タイプは、何れにおいても流動体がその冷却過程で収縮を伴うことがあり、この場合、充填部材がケース本体に落ち込んだ状態になってしまうため、商品としての見栄えが悪くなるという不都合があった。
【０００４】
【発明が解決しようとする課題】
本発明は、上述したような事実に鑑みてなされたものであって、充填部材を使用開始前にケース本体の先端開口から適切な寸法状態で露出可能な棒状充填部材の繰り出し容器を提供することを目的とする。
【０００５】
【課題を解決するための手段】
この課題を解決するため、本発明に係る、棒状充填部材の繰り出し容器は、先端部および後端部にそれぞれ開口を有する中空のケース本体と、このケース本体の内部にて棒状の充填部材を保持しケース本体の軸線に沿って充填部材と一体的に移動可能なスライダと、ケース本体の周りで回転自在に取り付けられその回転方向に応じてスライダをケース本体の軸線に沿って進退移動させるベース部材とからなる繰り出し容器であって、ベース部材は、その後端部に開口を有し、この開口に、スライダをケース本体の先端部側に押し上げて位置決めする上げ底ストッパを備えることを特徴とするものである。
【０００６】
本発明は、充填部材を使用開始前にケース本体の先端開口から適切な寸法状態で露出させることができるように、上げ底ストッパがスライダをケース本体の先端部側に押し上げて位置決めする。従って、本発明によれば、見栄えの良い商品を確実に提供することができる。
【０００７】
また、本発明に係る、上げ底ストッパは、充填部材がケース本体の内部で凝固する際の収縮代を補完する押し上げ代を有する。
【０００８】
かかる構成によれば、充填部材がケース本体の内部で凝固する際の収縮に伴い充填部材がケース本体に落ち込む問題を解消し、充填部材を使用開始前にケース本体の先端開口から適切な寸法状態で露出することができる。
【０００９】
本発明において、上げ底ストッパは、ベース部材の後端部の開口部に合さる底部と、この底部から起立して前記スライダと接触する押し上げ部分とが形成されたものである。また、押し上げ部分は、その側面に、ベース部材の後端部の開口に嵌合する嵌合爪を備える。
【００１０】
押し上げ部分の側面に、ベース部材の後端部の開口に嵌合する嵌合爪を備えれば、上げ底ストッパをベース部材に対して容易且つ安価に取り付けることができるから、生産効率の向上と共にコストの抑制に役立つ。
【００１１】
【発明の実施の形態】
以下、本発明の実施形態を添付図面に基づき詳細に説明する。
【００１２】
図１および図２はそれぞれ、本発明の第１実施形態である口紅ケースの不使用状態および使用状態を示す断面図である。口紅ケース１００は、図１に示す如く、ケース本体１１０と、スライダ１２０と、ベース部材１３０と、上げ底ストッパ１４０とからなり、ケース本体１１０をキャップ１５０でカバーする容器である。
【００１３】
ケース本体１１０は、先端部および後端部にそれぞれ開口１１０ａ，１１０ｂを有する中空の円筒部材であって、その側面には、ケース本体の軸線Ｏ１に沿って後端部開口１１０ｂにまで達する後端部切欠１１２がケース軸線Ｏ１に対して対称な２ヶ所の位置に形成されている。
【００１４】
スライダ１２０は、その外周面に、ケース本体１１０に設けた切欠１１２をガイドとする突起１２１が一体に形成されており、ケース本体１１０に対し、その軸線Ｏ１に沿って移動可能な状態になっている。またスライダ１２０の内部には、口紅Ｌｓを保持するため仕切り壁１２２が設けられ、さらに、この仕切り壁１２２には、スライダ１２０の先端部および後端部を連通させるための孔１２３が形成されている。なお、図３は、ケース本体１１０の内部に口紅Ｌｓを収納した場合のケース本体１１０とスライダ１２０との関係を示す斜視図である。
【００１５】
ベース部材１３０は、図１および図２に示す如く、その内部に螺旋溝１３１が形成されており、この螺旋溝１３１に、ケース本体１１０の切欠１１２から突出したスライダ１２０の突起１２１が係合する。これにより、ベース部材１３０は、ケース本体１１０の周りで回転自在に取り付けられ、ベース部材１３０の回転方向に応じてスライダ１２０をケース軸線Ｏ１に沿って進退移動させることができる。このとき、ベース部材１３０の先端部開口１３０ａには、シールリング１６０を介して金具１７０が取り付けられており、ケース本体１１０をベース部材１３０に対して固定する。
【００１６】
キャップ１５０は、図１に示す如く、その内部にパッキン１５１が取り付けられており、このパッキン１５１に設けた凸部１５２がケース本体１１０に設けた凹部１１３に嵌合する。これにより、キャップ１５０をケース本体１１０に対して着脱自在に取り付けることができる。
【００１７】
図４は、上げ底ストッパ１４０を示す斜視図である。図５（ａ），（ｂ）はそれぞれ、第１実施形態と従来技術とを図１の領域Ｘで比較する拡大断面図である。なお、図５（ｂ）の従来技術において、図１〜４と同一な部分は、同一符号をもってその説明を省略する。
【００１８】
上げ底ストッパ１４０は、中空の底部１４１の上面にスライダ１２０と接触する押し上げ部分１４２が２つに分割した状態で形成され、この押し上げ部分１４２の側面には、円周方向外向きに突出した嵌合爪１４３が一体に形成されている。嵌合爪１４３は、上げ底ストッパ１４０をベース本体１３０の後端部開口１３０ｂから導入する際、図５（ａ）に示す如く、押し上げ部分１４２が後端部開口１３０ｂの縁部分１３０ｂｅで弾性変形することにより、この縁部分１３０ｂｅを乗り上げて後端部開口１３０ｂに嵌合する。これにより、上げ底ストッパ１４０はベース本体１３０に対して固定される。
【００１９】
本実施形態と従来技術とを比較した場合、本発明の口紅ケース１００は、図５（ａ）に示す如く、上げ底ストッパ１４０の押し上げ部分１４２によって、スライダ１２０をケース開口１１０ａ側に押し上げて位置決めすることができる。これに対して、従来の口紅ケースは、図５（ｂ）に示す如く、後端部開口１３０ｂに予め形成されたリブ１３０ｒによって、スライダ１２０を位置決めする。このため、本発明の口紅ケース１００は、前記リブ１３０ｒの寸法Ｌｏよりも押し上げ部分１４２の寸法をΔＬだけ長くすることにより、例えば、ケース本体１１０とスライダ１２０との間に生じる僅かな遊びによって、口紅Ｌｓがケース本体１１０に落ち込んだ状態になっても、従来ケースに比べて、スライダ１２０をΔＬだけ余分に押し上げることができる。
【００２０】
つまり、口紅ケース１００は、口紅ＬＳを使用開始前にケース本体１００の先端開口１００ａから適切な寸法状態で露出させることができるように、上げ底ストッパ１４０がスライダ１２０をケース本体１１０の先端部１１０ａ側に押し上げて位置決めする。従って、口紅ケース１００によれば、見栄えの良い商品を確実に提供することができる。
【００２１】
また本実施形態において、上げ底ストッパ１２０は、ベース部材１３０の後端部の開口１３０ｂに嵌合する嵌合爪１４３を備える。この場合、上げ底ストッパ１２０をベース部材１３０に対して容易且つ安価に取り付けることができるから、生産効率の向上と共にコストの抑制に役立つ。
【００２２】
ところで、口紅ＬＳなどの充填部材は、比較的温度の高い流動体をケース本体１１０に流し込み、それを冷却、凝固させることによって所望の形状に成形、充填する部材である。このため、流動体がその冷却過程で収縮を伴うため、充填部材の落ち込み現象が顕著に現れる。
【００２３】
そこで、上げ底ストッパは、充填部材がケース本体１１０の内部で凝固する際の収縮代Ｌ１（例えば、口紅ＬＳの場合、Ｌ１＝０．５〜１．０mm程度）を補完する程度の押し上げ代を有するものであることが好ましい。
【００２４】
図６はおよび図７はそれぞれ、第２実施形態である口紅ケース２００であって、底上げストッパ２４０の取り付け前および取り付け後を示す断面図であり、図８は、上げ底ストッパ２４０を示す斜視図である。また、図９は、（ａ），（ｂ），（ｃ）はそれぞれ、第２実施形態における口紅ＬＳの成形から位置決めまでの工程を示す概略図である。但し、図６，７において、第１実施形態と同一部分は同一符号をもって説明を省略する。
【００２５】
ケース１１０に対して口紅ＬＳを成形するため、まず、図９（ａ）に示す如く、ケース本体１１０の先端部開口１１０ａにオジーブと呼ばれる充填金型Ｍを装着する。次に、図６の矢印ｄに示す向きから、ケース本体１１０の底部１１０ｂより流動体を充填してそれを冷却、凝固させることによって所望の形状に口紅ＬＳを成形する。
【００２６】
ところが、実際には、口紅ＬＳは流動体が凝固する際に収縮するため、オジーブＭを取り外した後の口紅ＬＳは、図９（ｂ）に示す如く、その収縮代Ｌ１だけケース本体１１０の内側に落ち込んだ状態になってしまう。このため、本実施形態でも、スライダ１２０を上げ底ストッパ２４０で位置決めする。
【００２７】
上げ底ストッパ２４０は、図８に示す如く、中実の底部２４１の上面にスライダ１２０と接触する押し上げ部分２４２が２つに分割した状態で形成され、この押し上げ部分２４２の側面には、円周方向外向きに突出した嵌合爪２４３が一体に形成されている。嵌合爪２４３は、第１実施形態の嵌合爪１４３と同様のものであって、上げ底ストッパ２４０をベース本体１３０の後端部開口１３０ｂから導入する際、図７に示す如く、押し上げ部分２４２が後端部開口１３０ｂの縁部分１３０ｂｅで弾性変形することにより、この縁部分１３０ｂｅを乗り上げて後端部開口１３０ｂに嵌合する。
【００２８】
つまり、上げ底ストッパ２４０がベース本体１３０に対して固定されることにより、口紅ＬＳは、図９（ｃ）に示す如く、ケース本体の先端部開口１１０ａから収縮代Ｌ１を補完した状態で位置決めされる。これにより、収縮に伴う落ち込みの問題が解消され、口紅ＬＳを使用開始前にケース本体１１０の先端開口１１０ａから適切な寸法状態で露出できる。従って、上げ底ストッパ２４０によれば、上げ底ストッパ２４０を調整する必要が無いため、上げ底ストッパ２４０の量産化が可能になり、コストの抑制に役立つ。
【００２９】
上述したところは、本発明の好適な実施形態を示したに過ぎず、当業者によれば、請求の範囲において、種々の変更を加えることができる。例えば、本発明に係る繰り出し容器は、樹脂を適用することができるが金属、あるいはその組合せにて構成されるものであってもよく、材質についてはとくに限定はされない。また、充填部材は、口紅に限らず、リップクリーム、スティックのり等であってもよく、無論、この場合、上げ底ストッパの押し上げ代も、充填部材の特性に応じた収縮代に変更することができる。
【００３０】
【発明の効果】
本発明は、充填部材を使用開始前にケース本体の先端開口から適切な寸法状態で露出させることができるように、上げ底ストッパがスライダをケース本体の先端部側に押し上げて位置決めする。従って、本発明によれば、見栄えの良い商品を確実に提供することができる。
【００３１】
また、本発明は、充填部材がケース本体の内部で凝固する際の収縮に伴い充填部材がケース本体に落ち込む問題を解消し、充填部材を使用開始前にケース本体の先端開口から適切な寸法状態で露出することができる。
【００３２】
本発明において、上げ底ストッパは、ベース部材の後端部の開口部に合さる底部と、この底部から起立して前記スライダと接触する押し上げ部分とを形成する。そして、押し上げ部分の側面に、ベース部材の後端部の開口に嵌合する嵌合爪を備えれば、上げ底ストッパをベース部材に対して容易且つ安価に取り付けることができるから、生産効率の向上と共にコストの抑制に役立つ。
【図面の簡単な説明】
【図１】  本発明の第１実施形態である口紅ケースの不使用時を示す断面図である。
【図２】  同形態における口紅ケースの使用時を示す断面図である。
【図３】  同形態においてケース本体とスライダとを取り出してその外観を示した図である。
【図４】  同形態における上げ底ストッパの斜視図である。
【図５】  （ａ），（ｂ）はそれぞれ、本実施形態と従来技術とを図１の領域Ｘで比較する拡大断面図である。
【図６】  本発明の第２実施形態である口紅ケースであって、底上げストッパの取り付け前および取り付け後を示す断面図である。
【図７】  同形態における口紅ケースであって、底上げストッパの取り付け後を示す断面図である。
【図８】  同形態における上げ底ストッパを示す斜視図である。
【図９】  （ａ），（ｂ），（ｃ）はそれぞれ、同実施形態における口紅ＬＳの成形から位置決めまでの工程を示す概略図である。
【符号の説明】
１００  口紅ケース（第１実施形態）
１１０  ケース本体
１１０ａ  ケース先端部開口
１１０ｂ  ケース後端部開口
１１２  切欠
１１３  ケース本体側凹部
１２０  スライダ
１２１  ガイド突起
１２２  仕切り壁
１２３  連通孔
１３０  ベース部材
１３０ａ  ベース部材先端部開口
１３０ｂ  ベース本体後端部開口
１３０ｂｅ  ベース本体後端部開口の縁部分
１３１  螺旋溝
１４０  上げ底ストッパ（第１実施形態）
１４１  中空底部
１４２  押し上げ部分
１４３  嵌合爪
１５０  キャップ
１５１  パッキン
１５２  パッキン側凸部
１６０  シールリング
１７０  金具
２００  口紅ケース（第２実施形態）
２４０  上げ底ストッパ（第２実施形態）
２４１  中実底部
２４２  押し上げ部分
２４３  嵌合爪
Ｏ１  ケース本体軸線
Ｌｓ  口紅
【図１】
0004046945.tif 000002
【図２】
0004046945.tif 000003
【図３】
0004046945.tif 000004
【図４】
0004046945.tif 000005
【図５】
0004046945.tif 000006
【図６】
0004046945.tif 000007
【図７】
0004046945.tif 000008
【図８】
0004046945.tif 000009
【図９】
0004046945.tif 000010